(57)【要約】【課題】簡単にまとめられるフレキシブルダクトを提供すること。【解決手段】第１の端部１ａ及び第２の端部１ｂを有する伸縮可能なフレキシブルダクト本体１と、第１の端部１ａにその一端を自由にして固定された第１のベルト５と、第２の端部１ｂにその一端を自由にして固定された第２のベルト６と、第１のベルト５及び第２のベルト６の、それぞれの自由な一端同士を互いに連結するための一対の連結手段７ａ，７ｂと、を備え、フレキシブルダクト本体１を最も縮めたときに、連結手段７ａ，７ｂが連結可能であるフレキシブルダクト。【選択図】図１
0003189571.tif 000002
【実用新案登録請求の範囲】
【請求項１】
第１の端部及び第２の端部を有する伸縮可能なフレキシブルダクト本体と、
前記第１の端部にその一端を自由にして固定された第１のベルトと、前記第２の端部にその一端を自由にして固定された第２のベルトと、
前記第１のベルト及び前記第２のベルトの、それぞれの自由な前記一端同士を互いに連結するための一対の連結手段と、を備え、
前記フレキシブルダクト本体を最も縮めたときに、前記連結手段が連結可能であることを特徴とするフレキシブルダクト。
【請求項２】
前記第１のベルト、前記第２のベルト及び前記連結手段からなる連結構造のセットを少なくとも２組備える請求項１に記載のフレキシブルダクト。
【請求項３】
前記セットが、前記フレキシブルダクト本体の第１の端部及び第２の端部の開口の直径方向において、互いに対向するように２組備える請求項２に記載のフレキシブルダクト。
【請求項４】
前記連結手段は、一対のワンタッチバックルである請求項１〜３の何れか１項に記載のフレキシブルダクト。
【請求項５】
前記第１のベルト及び前記第２のベルトは、前記フレキシブルダクト本体が最も伸びたときに長手方向において互いに対向するように固定されている請求項１〜４の何れか１項に記載のフレキシブルダクト。
【請求項６】
前記第１のベルト及び前記第２のベルトの少なくとも何れか一方に、把持部材が設けられている請求項１〜５の何れか１項に記載のフレキシブルダクト。
【考案の詳細な説明】
【技術分野】
【０００１】
本考案は、送風管等として用いられる伸縮可能なフレキシブルダクトに関し、詳しくは、収納性や運搬性が改良されたフレキシブルダクトに関する。
【背景技術】
【０００２】
従来、換気を必要とする作業場等で、送風機等で汚染空気や粉塵を作業場外へ放出したり、新鮮な空気を作業場内へ供給したりするために用いられる送風管として、伸縮可能なフレキシブルダクトが用いられている。フレキシブルダクトは、例えば、鋼線等により形成された螺旋状または複数の環状のフレームと樹脂シート等が一体化されて形成された、伸縮可能で自由自在に曲げることのできる蛇腹形状のチューブである。このようなフレキシブルダクトは長さ方向において、収納時には数十ｃｍ程度にまで縮められ、使用時には、使用現場で数〜数十ｍにまで伸ばして用いられる。
【０００３】
フレキシブルダクトは、収納時や運搬時には、螺旋状または複数の環状のフレームを重ねて数十ｃｍ程度にまで縮められる。縮められたフレキシブルダクトは、通常、筒の外周から筒内部の孔に紐や針金を通し、フレームをそれらで束ねるようにしてまとめられる。
【０００４】
フレキシブルダクトを紐や針金でまとめた場合、運搬するときに紐がほどけ、重ねて揃えられた螺旋状または複数の環状のフレームの形が崩れる場合があった。このような場合には、収納時にかさばり、整理整頓が不便になることがあった。また、紐や針金で束ねる手段によれば、作業者が一つ一つ紐や針金を結ぶ必要があり、作業者の技量が未熟である場合には、フレキシブルダクトの数が多い場合に時間が掛かったり、形が崩れやすくなったりするという問題があった。
【０００５】
このような問題を解決する方法として、例えば、下記特許文献1は、放射状に延びる複数の板状部材で形成した架台と、架台の中心部に下端部で固定されるとともに、上端部に第１締結部材を形成した支柱と、放射状に延びる複数の板状部材で形成されるとともに、中心部に支柱の第１締結部を通す貫通孔を形成した挟持部材と、挟持部材の貫通孔に支柱の第１締結部材を通した状態で第１締結部材に締結されるとともに、挟持部材が支柱から離脱することを防止する第２締結部材とを備えるようなフレキシブルダクト用の収納治具を開示する。
【０００６】
特許文献１に開示されたフレキシブルダクト用の収納治具を用いれば、確かに、フレキシブルダクトの型崩れ等を抑えながら収納することができる。しかしながら、このような収納治具を用いてフレキシブルダクトをまとめる場合には、フレキシブルダクトの数だけ収納治具を用意する必要があるために収納治具を置くためのスペースを確保する必要があり、現場でフレキシブルダクトを簡単にまとめることができなかった。
【先行技術文献】
【特許文献】
【０００７】
【特許文献１】特開２００３−２３１５７６号公報
【考案の概要】
【考案が解決しようとする課題】
【０００８】
本考案は、簡単にしっかりとまとめられるフレキシブルダクトを提供することを目的とする。
【課題を解決するための手段】
【０００９】
本発明のフレキシブルダクトは、第１の端部及び第２の端部を有する伸縮可能なフレキシブルダクト本体と、第１の端部にその一端を自由にして固定された第１のベルトと、第２の端部にその一端を自由にして固定された第２のベルトと、第１のベルト及び第２のベルトの、それぞれの自由な一端同士を互いに連結するための一対の連結手段と、を備え、フレキシブルダクト本体を最も縮めたときに、連結手段が連結可能なフレキシブルダクトである。このような構成のフレキシブルダクトによれば、フレキシブルダクト本体の両端部にそれぞれ固定された第１のベルト及び第２のベルトに、互いに結合された連結手段を備えるために、フレキシブルダクト本体をまとめるために紐や針金を準備したり片付けたりする必要がなく連結手段でまとめることができるために作業性に優れる。また、作業者の技量に拠らずしっかりと固定することができる。
【００１０】
また、第１のベルト、第２のベルト及び連結手段からなる連結構造のセットを少なくとも２組備えるフレキシブルダクト、好ましくはセットが、フレキシブルダクト本体の第１の端部及び第２の端部の開口の直径方向において、互いに対向するように２組備えることが、複数個所で固定されることにより、重ねられたフレームの形が崩れることがより抑制される点から好ましい。
【００１１】
また、連結手段が、一対のワンタッチバックルである場合には、ワンタッチで確実に連結構造を形成できる点から好ましい。
【００１２】
また、第１のベルト及び第２のベルトは、フレキシブルダクト本体が最も伸びたときに互いに対向するように固定されていることが、螺旋状または複数の環状のフレームを重ねたときに歪みが生じにくい点から好ましい。
【００１３】
また、第１のベルト及び第２のベルトの少なくとも何れか一方に把持部材が設けられている場合には、持ち運ぶ際に連結した第１のベルト及び第２のベルトを把持する際に手に与える負担が少なくなる点から好ましい。
【図面の簡単な説明】
【００１４】
【図１】図１は、第１実施形態のフレキシブルダクト１０の伸びたときの様子を図示した模式図である。
【図２】図２はフレキシブルダクト１本体を縮めたときの様子を示す模式図であり、図２（ａ）はワンタッチバックルの連結前、図２（ｂ）はワンタッチバックルの連結後の様子を示す。
【図３】図３は、フレキシブルダクト１０の最も伸びたときの様子を図示した上面模式図である。
【図４】図４は、フレキシブルダクト１０を持ち運びするときの様子を図示した模式図である。
【考案を実施するための形態】
【００１５】
以下、本考案に係るフレキシブルダクトの実施の形態を図面に基づいて説明する。
【００１６】
図１は、本発明に係る実施形態のフレキシブルダクト１０の伸びたときの様子を図示した模式図である。また、図２はフレキシブルダクト１本体を縮めたときの様子を示す模式図であり、図２（ａ）はワンタッチバックルの連結前、図２（ｂ）はワンタッチバックルの連結後の様子を示す。
【００１７】
図１に示すように、フレキシブルダクト１０は、蛇腹形状をしたチューブであるフレキシブルダクト本体１を有する。フレキシブルダクト本体１は、チューブ２と、チューブ２に固定された、鋼線等の金属線材から形成された螺旋形に伸びるスパイラルまたは複数の環から構成されるフレーム３とを備える。チューブ２は、例えば、樹脂繊維基材で補強されたターポリン素材や、ガラス繊維基材と各種樹脂との複合素材、又は、金属シート素材等であって可撓性を有する素材から形成されている基布から形成されたフレキシブルなチューブである。
【００１８】
フレキシブルダクト本体１は、その端部である開口部に第１の端部１ａ及び第２の端部１ｂを有する。そして、第１の端部１ａ近傍に第１のベルト５が、第２の端部１ｂ近傍に第２のベルト６が、それぞれ舌片８，９を介して、一端を自由にして固定されている。第１のベルト５及び第２のベルト６の長さを合わせたときの全長は、フレキシブルダクト本体１を最も縮めたときにワンタッチバックル７の連結構造が容易に形成でき、また縮められたフレキシブルダクト本体１がその形を崩しにくい程度の適度な長さに調整されている。そして、第１のベルト５の自由な側の端部には、ワンタッチバックル７の雌側係合部７ａが結合されており、第２のベルト６の自由な側の端部には、ワンタッチバックル７の雄側係合部７ｂが結合されている。雄側係合部７ｂはスナップフィットタイプの樹脂バネである係止部を有し、雌側係合部７ａは係止受部を有し、雌側係合部７ａと雄側係合部７ｂとは相互嵌合形式の一組の連結構造であるワンタッチバックル７を構成する。
【００１９】
なお、第１の端部１ａにおいては、図１中の実線及び点線でそれぞれ示しているように、開口部の直径方向において、互いに対向するように、第１のベルト５、舌片８、雌側係合部７ａを２組備えている。同様に、第２の端部１ｂにおいても、図１中の実線及び点線でそれぞれ示しているように、開口の直径方向において、互いに対向するように、第２のベルト６、舌片９、雄側係合部７ｂを２組備えている。
【００２０】
そして、図２（ａ）及び図２（ｂ）に示すように、雄側係合部７ｂは、雌側係合部７ａに挿入させて圧しこまれることにより、「カチッ」と嵌められて嵌着されて、連結構造を形成する。なお、上述のように、雌側係合部７ａと雄側係合部７ｂとを含む連結構造を１セットとし、このようなセットを、開口部の直径方向において、互いに対向するように、２組備える場合には、縮められたフレキシブルダクト本体１０が２個所で固定されることにより、重ねられたフレームの形が崩れることがより抑制されるようになる点から好ましい。
【００２１】
図３は、フレキシブルダクト１０の最も伸びたときの様子を図示した上面模式図である。第１のベルト５及び第２のベルト６は、フレキシブルダクト本体１が最も伸びたときに互いに対向するような位置に固定されている。このように最も伸びたときに互いに対向するような位置に第１のベルト５及び第２のベルト６を固定することにより、フレキシブルダクト本体１を縮めたときにフレーム３がねじれた状態で重ねられることが抑制されるために、収納時に歪による応力が蓄積されにくく、型崩れしにくくなる。
【００２２】
フレキシブルダクト本体１の第１の端部１ａ近傍または第２の端部１ｂ近傍に第１のベルト５または第２のベルト６を固定する方法は、ワンタッチバックル７の雌側係合部７ａと雄側係合部７ｂとを連結してもはずれない程度に充分な強度を保持できる固定手段であれば特に限定されない。具体的には、例えば、リベット、ボルト・ナット、ハトメ、カシメ、縫製、接着等の手段により固定する方法が挙げられる。なお、舌片８，９を介して固定することが、連結時の張力により固定部分が裂けたりすることが抑制される点から好ましい。
【００２３】
フレキシブルダクト１０は、その使用時には、図１に示すように、ワンタッチバックル７の雌側係合部７ａと雄側係合部７ｂとの連結が解除されて、フレキシブルダクト本体１が使用現場で自由に伸ばされて用いられる。一方、図２（ａ）及び図２（ｂ）に示すように、フレキシブルダクト１０は、その収納時や運搬時には、フレキシブルダクト本体１のフレーム３を重ねて集合させるようにして例えば数十ｃｍ程度にまで縮められ、ワンタッチバックル７の雌側係合部７ａと雄側係合部７ｂとを連結させることによりまとめられる。このようなワンタッチバックル７の連結構造によりフレキシブルダクト本体１をまとめることにより、収納時や運搬時に意図せずにフレーム３の重なりがねじれたり、偏ったりすることによりまとめられたフレキシブルダクト本体１が型崩れすることが抑制される。
【００２４】
また、このようなワンタッチバックル７は、雌側係合部７ａと雄側係合部７ｂとが予めフレキシブルダクト本体１の両端部に位置するようにそれぞれ固定されているために、使用時には、ワンタッチバックル７の雌側係合部７ａと雄側係合部７ｂとの連結を解除するだけでよく、紐や針金を用いてまとめたときのように、紐や針金を片付ける必要がないために作業性に優れる。また、収容時には、フレキシブルダクト本体１を縮めてまとめた後、ワンタッチバックル７の雌側係合部７ａと雄側係合部７ｂとをワンタッチで連結することができる。そのために、紐や針金で束ねる場合のように、紐や針金を準備する必要がなく、また、作業者の技量に依存せずに安定的にしっかりと固定することができるために、紐がほどけて束ねられた形が崩れたり、フレームが所々ねじれを生じて形が崩れたりすることを抑制できる。
【００２５】
以上、図１〜図３を参照して、本考案に係るフレキシブルダクトの一実施形態であるフレキシブルダクト１０について代表例として詳しく説明したが、本考案は、上述した形態に限られず、本考案の効果を損なわない限り、種々の変形した形態が採用しうる。
【００２６】
例えば、フレキシブルダクト１０においては、第１のベルト５と第２のベルト６とを連結するための連結手段として、ワンタッチバックル７の構造を採用した例を説明したが、連結手段は第１のベルトと第２のベルトとを連結できる手段であればワンタッチバックル７に限られず、例えば、面ファスナー、雌雄スナップボタン、またはホックのような手段であってもよい。
【００２７】
また、フレキシブルダクト１０においては、図１に示すように、連結構造のセットを、フレキシブルダクト本体１の端部の開口部の直径方向において、互いに対向するように２組備えることにより向かい合う２箇所で固定する例を示したが、１組のみ備えて１箇所のみで固定しても、また、３組以上備えて３箇所以上で固定してもよい。
【００２８】
また、例えば、図４に示すように、第１のベルト及び第２のベルトの少なくとも何れか一方に把持部材４を設けることにより、ワンタッチバックル７を連結して、連結した第１のベルト及び第２のベルトを把持する際に持ち運ぶ際に手に与える負担を低減させてもよい。
【産業上の利用可能性】
【００２９】
換気を必要とする作業場等で、伸縮可能なフレキシブルダクトを用いる場合において、設置や収納が容易になる。また、倉庫等においての保管も容易になる。
【符号の説明】
【００３０】
１    フレキシブルダクト本体
１ａ  第１の端部
１ｂ  第２の端部
２    チューブ
３    フレーム
４    把持部材
５    第１のベルト
６    第２のベルト
７    ワンタッチバックル
７ａ  雌側係合部
７ｂ  雄側係合部
１０  フレキシブルダクト
【図１】
0003189571.tif 000003
【図２】
0003189571.tif 000004
【図３】
0003189571.tif 000005
【図４】
0003189571.tif 000006
【手続補正書】
【提出日】平成26年1月9日(2014.1.9)
【手続補正２】
【補正対象書類名】明細書
【補正対象項目名】０００９
【補正方法】変更
【補正の内容】
【０００９】
本考案のフレキシブルダクトは、第１の端部及び第２の端部を有する伸縮可能なフレキシブルダクト本体と、第１の端部にその一端を自由にして固定された第１のベルトと、第２の端部にその一端を自由にして固定された第２のベルトと、第１のベルト及び第２のベルトの、それぞれの自由な一端同士を互いに連結するための一対の連結手段と、を備え、フレキシブルダクト本体を最も縮めたときに、連結手段が連結可能なフレキシブルダクトである。このような構成のフレキシブルダクトによれば、フレキシブルダクト本体の両端部にそれぞれ固定された第１のベルト及び第２のベルトに、互いに結合された連結手段を備えるために、フレキシブルダクト本体をまとめるために紐や針金を準備したり片付けたりする必要がなく連結手段でまとめることができるために作業性に優れる。また、作業者の技量に拠らずしっかりと固定することができる。
【手続補正３】
【補正対象書類名】明細書
【補正対象項目名】００１６
【補正方法】変更
【補正の内容】
【００１６】
図１は、本考案に係る実施形態のフレキシブルダクト１０の伸びたときの様子を図示した模式図である。また、図２はフレキシブルダクト１本体を縮めたときの様子を示す模式図であり、図２（ａ）はワンタッチバックルの連結前、図２（ｂ）はワンタッチバックルの連結後の様子を示す。